(57)【要約】      （修正有）【課題】透明のフィルム材質でなされたシート上に電気が流れる場合ＬＣＤ画面の画素ラインに対応される回路ラインを形成して、立体映像がディスプレイされる時のみに回路ラインが可視的に表現されることで、立体映像の左右視野による映像を電気的に形成される障壁によって分離させるようにする。【解決手段】透明材質のベースフィルム１１０と、前記ベースフィルム上部に形成されて、ＬＣＤモニターの垂直画素ラインを交番しながら隠すようにネマティック(nematic)を使用して印刷方式によって縦方向の垂直ラインを有するように形成されて、各垂直ラインは電気的に連結されるように形成された回路パターン１２０と、該回路パターンが形成されたベースフィルムの上部を覆うように付着した透明材質の保護フィルム１３０でなされて、前記回路パターンに電気が印加される時に回路パターンが不透明な状態で表現されるように構成される。【選択図】図１
2009212718.tif 000002
【特許請求の範囲】
【請求項１】
透明材質のベースフィルムと、
前記ベースフィルム上部に形成されて、ＬＣＤモニターの垂直画素ラインを交番しながら隠すようにネマティック(nematic)を使用して、印刷方式によって縦方向の垂直ラインを有するように形成されて、各垂直ラインは電気的に連結されるように形成された回路パターンと、
前記回路パターンが形成されたベースフィルムの上部を覆うように付着した透明材質の保護フィルムでなされて、
前記回路パターンに電気が出力される時、回路パターンが不透明な状態で表現されるように構成されることを特徴とする立体映像の具現のためのＬＣＤモニター用フィルター。
【請求項２】
請求項１に記載したＬＣＤモニター用フィルターがＬＣＤモニターの前面に付着されて装着された立体映像装置において、
前記立体映像装置は、
ディスプレイされる映像ソースの出力を受けて一般映像であるか、それとも立体映像であるかを確認する映像確認部と、
前記映像確認部の出力を出力されてフィルターに電源を出力するためのスイチング制御信号を出力する制御部と、
前記制御部の出力によってスイチングされて電源部の電源をフィルターに供給するためのスイチング部と、で構成されることを特徴とする立体映像装置。
【発明の詳細な説明】
【技術分野】
【０００１】
本発明は、ＬＣＤモニター用フィルター及びこれを利用した立体映像装置に関し、特にＬＣＤモニターを通じて立体映像がディスプレイされる場合フィルムに電気的に形成される障壁によって映像の光を通過させるか、または通過させないようにすることで左右視野による映像を分離させて立体映像が具現されるようにした立体映像の具現のためのＬＣＤモニター用フィルター及びこれを利用した立体映像装置に関する。
【背景技術】
【０００２】
ディスプレイ器機の発展によって２次元的に見えるディスプレイ媒体の限界を脱して、もうちょっと現実感があるように３次元映像を見せてくれるための多様な装置らが開発されている。
人間が３次元立体映像を見る原理は非常に簡単である。人間の二つの目の間の間隔が普通６-６．５cmであるので、その二つの目が一つまたは１ヶ所の事物を眺める時に微妙な視野角の差があるようになって、その差を脳の視覚インフォメーションシステムに伝達することで差がある二つの映像を一つの映像に併合するようになって、立体感を感じるようになるものである。
したがって、テレビや映画または印刷した絵などの一般的な映像は平面的な映像であるので、二つの目が同一な映像のみを認知するようになるので、立体感を感じることができないが、左右の目がそれぞれ微妙に差がある映像を見るようになったら立体感を感じるようになるものである。
このような２次元的な映像として３次元立体映像を具現する方法らが多様に提示されているが、大きく装備を利用して立体映像を見られる方法と装備を利用しないで立体映像を見られる方法で分けられる。
装備を利用して立体映像を見られる方法では、レンズ立体鏡、赤青メガネ、偏光メガネ、ＬＣＤＳＧ(Liquid Crystal Display Shuttered Glasses)、ＨＭＤ(Head Mounted Display)が代表的である。
レンズ立体鏡(Side by side)は左右に該当する映像がぞくぞく置かれてこれをレンズを通じて二つの目に別別に結像されるようにすることで立体を感じらせる方式である。
赤青メガネ(アナグリフ)は、左目のイメージは赤色で右側のイメージは青色で示して目に赤青方式のメガネを着用することで立体を感じる方式である。
偏光メガネ方式は、立体映画館や立体スライドで最も多く活用する方法であり、二台の映写機にそれぞれ垂直、水平方向のみに光を透写するようにする偏光フィルターを着せて、人の目にも同じ種類のフィルターが付着された偏光メガネをかけて立体を感じる方式で、ライン偏光フィルター方式と円偏光フィルター方式の２種類があり、立体映像の深さ感が最も優れる。
ＬＣＤＳＧ(Liquid Crystal Display Shuttered Glasses)は電源を加えれば、ＬＣＤの光の方向が変わる性質を利用して光を通過させるか、または通過することができないようにすることができる。このような原理をＴＶやモニターの映像ディスプレイに適用させて一方の目に該当する映像のみを通過するようにＬＣＤを制御すると、二つの目にお互いに異なる映像を見るようにすることができる。すなわち、モニター画面と同機されて非常に早くシャッターを開いて閉めるようにして立体を見るようにする方式である。
ＨＭＤ(Head Mounted Display)は、ＴＶ映像が一秒に６０個の映像をディスプレイするようになっている原理を利用して左右に該当する映像をＨＭＤ ＬＣＤ上にそれぞれディスプレイすることで、二つの目がお互いに異なる映像を見るようにして立体を感じらせる方式である。
また、装備を利用しないで立体映像を見られる方法では、レンティキュラ、パララックスバリア、パララックスイルミネーションなどの方式がある。
レンティキュラは、左右の映像がディスプレイされることができる素子の前に一つの左右間隔に該当する半円筒状レンティキュラシートを付着して、左右それぞれの目に左右に該当する映像のみが見えるようにすることで立体を感じらせる方式である。
パララックスバリアは、左右の映像が時差障壁の後に置かれるようにすることで、左右にそれぞれ異なる映像が見えるようにすることで立体を感じらせる方式である。
パララックスイルミネーションは、後面に照明ラインが置かれて前面にＬＣＤが置かれて照明ラインを通じて明かされたＬＣＤラインが左右のみに見えるようにすることで立体を具現する方式である。
しかし、このような方法らは次のような問題点を有している。
装備を利用して立体映像を見られる方法らはすべて別途の装備すなわち、メガネやＨＭＤなどの装備を利用しなければならないので付加装備による費用が増加して、また限定された場所のみで立体映像の感想の可能な問題点がある。
また、装備を利用しない場合既存には立体映像を具現するためのＬＣＤパネルの製作時、内部に偏光フィルムやレンティキュラ板またはパララックスバリアー板を付着する方式を採択しているので、その付着する部品らの原価がＬＣＤモニターの全体価格よりもさらにたくさん占めているし、また付着時にいちいち手作業で進行するので、大量生産が不可能で接着剤を利用した生産方式を避けることができないから、一度誤って付着するとＬＣＤモニターの全体が不良製品になることがある。
そして、既存の立体ＬＣＤモニターは偏光フィルム、レンティキュラ板、パララックスバリアー板が装着されているので、これにより一般映像を見る場合ＬＣＤモニターの輝度が減少して、光が反射される現象が発生されて画質低下の原因になっている。
【発明の開示】
【発明が解決しようとする課題】
【０００３】
本発明は、従来のこのような問題点を解決しようと、透明のフィルム材質でなされたシート上に電気が流れる場合ＬＣＤ画面の画素ラインに対応される回路ラインを形成して、立体映像がディスプレイされる時のみに回路ラインが可視的に表現されることで、立体映像の左右視野による映像を電気的に形成される障壁によって分離させるようにする。
これによって一般映像である場合、透明な状態のフィルターを通じて本来の映像が表現されるようにして、立体映像である場合電源の出力によって回路パターンによる障壁を形成して立体映像が表現されるようにする立体映像の具現のためのＬＣＤモニター用フィルター及びこれを利用した立体映像装置を提供する。
【課題を解決するための手段】
【０００４】
前記課題を解決するために、本発明の立体映像の具現のためのＬＣＤモニター用フィルターは、
透明材質のベースフィルムと、
前記ベースフィルム上部に形成されて、ＬＣＤモニターの垂直画素ラインを交番しながら隠すようにネマティック(nematic)を使用して印刷方式によって縦方向の垂直ラインを有するように形成されて、各垂直ラインは電気的に連結されるように形成された回路パターンと、
前記回路パターンが形成されたベースフィルムの上部を覆うように付着した透明材質の保護フィルムでなされて、
前記回路パターンに電気が出力される時に回路パターンが不透明な状態で表現されるように構成されたことを特徴とする。
【発明の効果】
【０００５】
このような本発明は、透明のフィルム材質でなされたシート上に電気が流れる場合にすなわち、立体映像がディスプレイされる場合のみにＬＣＤ画面の画素ラインに対応される回路ラインが不透明に可視的に表現されることで、一般映像をディスプレイする場合にも従来のように妨害物がなくて、いつも良い画質の立体映像及び一般映像を楽しむことができるようにする。
また、シルクスクリーン印刷方式によって回路パターンを形成することで製造費用を顕著に減らすことができるし、立体ＬＣＤモニターだけではなく一般ＬＣＤモニターにも易しく適用することができる。
そして、既存の立体フィルムはすべて同一な厚さの製品を使用してＬＣＤモニターの端の部分すなわち、人の視線が遠くなる部分では立体映像が左右が逆にされる現象が現われることがあるが、本発明は印刷する回路パターンの厚さを調節してフィルターの厚さを調節することで、左右端の部分で立体映像の左右が逆にされなくて、高品質の立体映像を楽しむことができる。
【発明を実施するための最良の形態】
【０００６】
このように構成された本発明を添付した図面を参照して詳しく説明する。
図１は、本発明のフィルター構造を示す図であり、図２は本発明が適用されて立体映像を具現する状態を示す概念図であり、図３は本発明が適用された立体映像装置の回路ブロック図である。
先ず、フィルター１００をなすベースフィルム１１０は、透明の材質でななれたシートを利用するのに、透明で撓めることが自由な材質が使用されて、代表的にＰＰ、ＰＥ、ＰＥＴ、ＰＶＣなどの合成樹脂材で構成することが望ましい。
このようなベースフィルム１１０の上部表面に電源が出力されれば不透明になって、電源が出力されなければ透明な状態を維持する物質で回路パターン１２０が構成される。
前記回路パターンを構成する物質としては、一般的な液晶ＬＣＤモニター製作時に使用されるネマティック(nematic)が使用されるが、このようなネマティックは電流が流れると透明度を喪失する特徴を有する。
それで、このようなネマティックを利用してシルクプリンティングまたはインクジェットプリンターなどによってベースフィルム１１０の上部にプリンティングされる。
回路パターン１２０はＬＣＤモニターの垂直画素ラインを交番しながら隠すように縦方向の垂直ラインを有するように形成されるが、例えば１０２４*７６８画素で構成された解像度を有するモニターに適用される場合横方向の解像度である１０２４の半分である５１２個の垂直ラインを形成するようになって、垂直ラインの幅は１０２４の横ライン画素を構成する一つの画素の幅と一致する。
また、垂直ラインと隣合う垂直ラインの間隔も同様に一つの画素の幅と一致する。
したがって、図２に示すようにＬＣＤモニター２００の表面に付着して適用された時垂直ラインの横方向にした画素ライン２１０の上部には回路パターン１２０が位置して、隣合うそばの画素ライン２２０の上部には回路パターンが位置しなくなる。
結局、ＬＣＤモニター２００の垂直の画素ラインの上部には回路パターン１２０が一ラインずつ交番して位置するように構成されるものである。
これら各回路パターン１２０をなすラインらは、ジグザグ形態で構成されて電気的にすべて連結されて、端子部１２１を通じて外部から電源の供給を受けるようになる。
前記回路パターン１２０が形成されたベースフィルム１１０の上部には回路パターン１２０を保護するためにベースフィルムと同一な材質でなされた透明の保護フィルム１３０が着せられて付着して、この時の付着は、熱圧着などによって行われることができる。
このように構成されたフィルター１００は、図２でのようにＬＣＤモニター２００の表面に付着して適用されることで、電源が出力される場合回路パターン１２０が不透明に表示されるので、仕切りの役割をするようになって左右映像を分離するようになる。
すなわち、ＬＣＤモニター２００にディスプレイされる立体映像は、回路パターン１２０が各垂直ラインの干渉によっても二つの目には左側及び右側映像がそれぞれ左側及び右側目に入射されて立体映像が具現されるものである。
回路パターン１２０に出力される電源は、０．２-０．４mVの極めて微弱な電気的信号であるので、回路パターン１２０の損傷は発生しないし、そのような理由でフィルター１００の寿命はＬＣＤモニターの寿命と同一であって、費用的な側面で非常に有利である。
一方、回路パターン１２０は０．１-０．３mmの厚さを有して、ＬＣＤモニターの大きさによって印刷する回路パターン１２０の厚さを自由に設定することができる。
それで、回路パターン１２０の厚さを変化させて、ＬＣＤモニターの左右端部分での立体映像の反転を阻むことができる。これにより高品質の立体映像を楽しむことができるものである。
このような本発明のフィルター１００が適用された立体映像装置を図３に示す。
図３に示すように映像確認部３００は、ＬＣＤモニターにディスプレイされる映像ソースの出力を受けて一般映像であるか、それとも立体映像であるかを確認するようになる。
すなわち、立体映像である場合映像ソースに立体映像を知らせる信号が含まれていて、このような信号を確認して立体映像の可否を確認するものである。
一般映像で確認された場合制御部３１０は、スイチング部３３０をオフさせてフィルター１００に電源部３２０からの電源を供給しなくなるので、回路パターン１２０は透明な状態を維持するようになる。
反面に、立体映像である場合制御部３１０は、スイチング部３３０をオンさせてフィルター１００に電源部３２０からの電源を供給するようになって、回路パターン１２０が不透明な状態を維持するようにすることで立体映像のディスプレイが可能なものである。
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【図面の簡単な説明】
【０００７】
【図１】本発明のフィルター構造を示す図面である。
【図２】本発明が適用されて立体映像を具現する状態を示す概念図である。
【図３】本発明が適用された立体映像装置の回路ブロック図である。
【符号の説明】
【０００８】
１００  フィルター
１１０  ベースフィルム
１２０  回路パターン
１２１  端子部
１３０  保護フィルム
２００  ＬＣＤモニター
２１０、２２０  垂直ライン
３００  映像確認部
３１０  制御部
３２０  電源部
３３０  スイチング部
【図１】
2009212718.tif 000003
【図２】
2009212718.tif 000004
【図３】
2009212718.tif 000005